(57)【要約】【課題】  色むらの発生を低減することができる、繊維補強コンクリート製部材の養生設備を提供する。【解決手段】  養生設備２は、一次養生ハウス３と、その一次養生ハウス３内に配置される二次養生ハウス４と、その二次養生ハウス４によって形成される養生室２ａへ蒸気を供給するための蒸気供給手段５とを備える。そこで、一次養生ハウス３を構成する第１覆い部材３ａと、二次養生ハウス４を構成する第２覆い部材４ａとの間が、外部Ｘと養生室２ａとを隔てる隔離空間２ｂとなる。そして、蒸気供給手段５は、隔離空間２ｂへ蒸気を噴出させる蒸気供給管５ｃと、隔離空間２ｂの蒸気を養生室２ａへ流入させる連通部５ｂとからなる。【選択図】  図２
2009006596.tif 000002
【特許請求の範囲】
【請求項１】
繊維補強コンクリート製部材を熱養生するための養生設備であって、
一次養生ハウスと、その一次養生ハウス内に配置されて前記繊維補強コンクリート製部材が収容される養生室を形成する二次養生ハウスと、前記養生室へ蒸気を供給するための蒸気供給手段とを備え、
前記一次養生ハウスを構成する第１覆い部材と、前記二次養生ハウスを構成する第２覆い部材との間が、外部と前記養生室とを隔てる隔離空間となり、
前記蒸気供給手段は、前記隔離空間へ蒸気を噴出させる蒸気噴出装置と、前記隔離空間の蒸気を前記養生室へ流入させるべくそれら隔離空間と養生室とを連通する連通部とからなる、繊維補強コンクリート製部材の養生設備。
【請求項２】
前記第１覆い部材と前記第２覆い部材とは、シートからなる、請求項１に記載の、繊維補強コンクリート製部材の養生設備。
【請求項３】
前記蒸気噴出装置は、蒸気が噴出する噴出口を有して前記隔離空間に配置される蒸気供給管からなる、請求項１または２に記載の、繊維補強コンクリート製部材の養生設備。
【請求項４】
前記養生室には、内部の空気を流動させるための送風機が設けられている、請求項１ないし３のいずれか１項に記載の、繊維補強コンクリート製部材の養生設備。
【請求項５】
前記養生室に対して前記繊維補強コンクリート製部材を搬入・搬出する搬送装置を備え、
前記搬送装置は、前記繊維補強コンクリート製部材が載せられる台車と、外部から前記養生室内まで敷設されて前記台車を案内するレールとからなる、請求項１ないし４のいずれか１項に記載の、繊維補強コンクリート製部材の養生設備。
【発明の詳細な説明】
【技術分野】
【０００１】
この発明は、繊維補強コンクリート製部材を熱養生するための養生設備に関するものである。
【背景技術】
【０００２】
従来、コンクリート製部材としてのコンクリート打設部を養生するためのコンクリート養生設備があった（例えば、特許文献１参照）。この養生設備は、冬季の養生を目的としたものであり、コンクリート打設部を覆うシートと、そのシートを支持するアーチ状の支持部材とから構成された。このように、この養生設備においては、支持部材に支持されたシートという簡易な構成で、コンクリート打設部が収容される養生室が形成された。
【０００３】
【特許文献１】特開平１０−２０５１３１号公報
【発明の開示】
【発明が解決しようとする課題】
【０００４】
ところで、前記従来の養生設備は、冬季の養生を目的として、シートによって養生室を形成するものであった。そこで、繊維補強コンクリート製部材を熱養生する場合には、このシートからなる養生室に蒸気を供給すればよいが、こうすると、養生室内の結露による水滴で、繊維補強コンクリート製部材の表面に色むらが発生する虞があった。
【０００５】
この発明は、上記した従来の欠点を解決するためになされたものであり、その目的とするところは、色むらの発生を低減することができる、繊維補強コンクリート製部材の養生設備を提供することにある。
【課題を解決するための手段】
【０００６】
この発明に係る繊維補強コンクリート製部材の養生設備は、前記目的を達成するために、次の構成からなる。すなわち、
請求項１に記載の発明に係る繊維補強コンクリート製部材の養生設備は、繊維補強コンクリート製部材を熱養生するための養生設備であって、一次養生ハウスと、その一次養生ハウス内に配置されて前記繊維補強コンクリート製部材が収容される養生室を形成する二次養生ハウスと、前記養生室へ蒸気を供給するための蒸気供給手段とを備える。そこで、前記一次養生ハウスを構成する第１覆い部材と、前記二次養生ハウスを構成する第２覆い部材との間が、外部と前記養生室とを隔てる隔離空間となる。そして、前記蒸気供給手段は、前記隔離空間へ蒸気を噴出させる蒸気噴出装置と、前記隔離空間の蒸気を前記養生室へ流入させるべくそれら隔離空間と養生室とを連通する連通部とからなる。
【０００７】
この養生設備によると、一次養生ハウスを構成する第１覆い部材と、二次養生ハウスを構成する第２覆い部材との間が、隔離空間となって、この隔離空間により、外部と第２覆い部材の内側の養生室とが隔てられる。そして、蒸気噴出装置による蒸気によって温度が高められた隔離空間と、養生室に流入する蒸気とにより、養生室の温度が保たれ、その養生室に収容された繊維補強コンクリート製部材は、熱養生される。ここで、隔離空間で結露が生じた場合には、その結露による水滴は、第２覆い部材によって遮られ、このため、その結露による水滴が、養生室の繊維補強コンクリート製部材に滴下するのを避けることができる。また、第２覆い部材の外側は、隔離空間となって蒸気によって温度が高められているため、第２覆い部材の内面側での結露が抑えられ、このため、その結露による水滴が、養生室の繊維補強コンクリート製部材に滴下するのを避けることができる。
【０００８】
また、請求項２に記載の発明に係る繊維補強コンクリート製部材の養生設備は、請求項１に記載の養生設備において、前記第１覆い部材と前記第２覆い部材とは、シートからなる。こうして、一次養生ハウスの第１覆い部材と二次養生ハウスの第２覆い部材とに、シートを用いることで、この養生設備を、簡易に形成することができる。
【０００９】
また、請求項３に記載の発明に係る繊維補強コンクリート製部材の養生設備は、請求項１または２に記載の養生設備において、前記蒸気噴出装置は、蒸気が噴出する噴出口を有して前記隔離空間に配置される蒸気供給管からなる。
【００１０】
また、請求項４に記載の発明に係る繊維補強コンクリート製部材の養生設備は、請求項１ないし３のいずれか１項に記載の養生設備において、前記養生室には、内部の空気を流動させるための送風機が設けられる。こうして、養生室の空気は、送風機により攪拌されることから、養生室内の温度を均一にすることができ、繊維補強コンクリート製部材を安定して養生することができる。
【００１１】
また、請求項５に記載の発明に係る繊維補強コンクリート製部材の養生設備は、請求項１ないし４のいずれか１項に記載の養生設備において、前記養生室に対して前記繊維補強コンクリート製部材を搬入・搬出する搬送装置を備える。この搬送装置は、前記繊維補強コンクリート製部材が載せられる台車と、外部から前記養生室内まで敷設されて前記台車を案内するレールとからなる。
【発明の効果】
【００１２】
この発明に係る繊維補強コンクリート製部材の養生設備によれば、一次養生ハウス内に二次養生ハウスを設け、一次養生ハウスを構成する第１覆い部材と、二次養生ハウスを構成する第２覆い部材との間を、蒸気によって温度が高められた隔離空間とすることで、養生室の繊維補強コンクリート製部材に、結露による水滴が滴下するのを避けることができ、この繊維補強コンクリート製部材に対する色むらの発生を低減することができる。
【発明を実施するための最良の形態】
【００１３】
以下、この発明を実施するための最良の形態を図面に基づいて説明する。
【００１４】
図１〜図３は、本発明の一実施の形態を示す。図中符号１は、例えば、歩道橋用の桁に用いられる、コンクリート製部材、特に、繊維補強コンクリート製部材である。この繊維補強コンクリート製部材１の材料となるコンクリート材は、セメントと、ポゾラン材と、骨材例えば粉末または微粉末状の骨材と、補強用繊維とで構成される。ここで、この補強用繊維としては、鋼線材が用いられるが、鋼線材に限定されるものではない。また、このコンクリート材を用いた繊維補強コンクリート製部材１は、繊維によって補強されるため、鉄筋は使用されない。このコンクリート材としては、例えば、太平洋セメント株式会社が販売する超高強度繊維補強コンクリート材である「Ｄｕｃｔａｌ／ダクタル」（登録商標）が用いられる。ここにおいて、この超高強度繊維補強コンクリート材を用いた、繊維補強コンクリート製部材としての超高強度繊維補強コンクリート製部材とは、土木学会の「超高強度繊維補強コンクリートの設計・施工指針（案）」に定義されるように、圧縮強度の特性値が１５０Ｎ／ｍｍ2以上、ひび割れ発生強度の特性値が４Ｎ／ｍｍ2以上、引張強度の特性値が５Ｎ／ｍｍ2以上の、繊維補強を行ったセメント質複合材である。
【００１５】
この繊維補強コンクリート製部材１は、スラブ１ａを有し、さらに、そのスラブ１ａの両端から上方に起立する側壁１ｂ、１ｂを有して、断面略Ｕ型形状をしている。但し、養生にあたっては、この繊維補強コンクリート製部材１は、反転した状態となっている（図２参照）。
【００１６】
符号２は、繊維補強コンクリート製部材１を熱養生するための養生設備である。この養生設備２は、一次養生ハウス３と、その一次養生ハウス３内に配置されて前記繊維補強コンクリート製部材１が収容される養生室２ａを形成する二次養生ハウス４と、養生室２ａへ蒸気を供給するための蒸気供給手段５とを備える。図示実施の形態においては、養生設備２は、これら一次養生ハウス３と二次養生ハウス４と蒸気供給手段５とに加えて、養生室２ａに対して繊維補強コンクリート製部材１を搬入・搬出する搬送装置６を備えている。
【００１７】
ここにおいて、一次養生ハウス３を構成する第１覆い部材３ａと、二次養生ハウス４を構成する第２覆い部材４ａとの間が、外部Ｘと養生室２ａとを隔てる隔離空間２ｂとなる。そして、蒸気供給手段５は、隔離空間２ｂへ蒸気を噴出させる蒸気噴出装置５ａと、隔離空間２ｂの蒸気を養生室２ａへ流入させるべくそれら隔離空間２ｂと養生室２ａとを連通する連通部５ｂとからなる。また、搬送装置６は、繊維補強コンクリート製部材１が載せられる台車６ａと、外部Ｘから養生室２ａ内まで敷設されて前記台車６ａを案内するレール６ｂとからなる。
【００１８】
具体的には、一次養生ハウス３は、その周囲部分に配置される第１土台３ｂと、その第１土台３ｂに渡されるようにアーチ状に組まれる骨組み（図示せず）と、その骨組みに掛けられる前記第１覆い部材３ａとを備える。ここで、第１土台３ｂは、例えば形鋼等からなり、第１覆い部材３ａは、シート、例えば防炎シートからなる。また、二次養生ハウス４は、一次養生ハウス３の内側に位置して、その一次養生ハウス３と同様に、周囲部分に配置される第２土台４ｂと、その第２土台４ｂに渡されるようにアーチ状に組まれる骨組み（図示せず）と、その骨組みに掛けられる前記第２覆い部材４ａとを備える。ここで、第２土台４ｂは、角材からなる下部土台４ｃと、その下部土台４ｃに支持される形鋼等からなる上部土台４ｄによって構成される。そして、第２覆い部材４ａは、シート、例えば防炎シートからなる。また、この二次養生ハウス４は、床４ｅを備えている。詳細には、床４ｅは、角材からなる根太４ｆ、４ｆと、それら根太４ｆ、４ｆ上に敷き詰められる複数の床板４ｇ、４ｇと、それら床板４ｇ、４ｇ上に並べられるようにして敷かれる複数の床シート４ｈ、４ｈとからなる。この床シート４ｈは、第１および第２覆い部材３ａ、４ａと同様に、例えば防炎シートからなる。
【００１９】
そして、前記蒸気噴出装置５ａは、蒸気が噴出する噴出口を有して隔離空間２ｂに配置される蒸気供給管５ｃからなる。この蒸気供給管５ｃは、第２土台４ｂ（詳細には、上部土台４ｄ）上に配置され、養生設備２の入口２ｃ部分では、床板４ｇの下を通される。そして、前記連通部５ｂは、床４ｅにおける、床板４ｇ、４ｇの合わせ部分の隙間と、床シート４ｈ、４ｈの合わせ部分の隙間とからなり、これら隙間を通って、隔離空間２ｂの蒸気は、養生室２ａへ流入する。
【００２０】
また、養生室２ａには、内部の空気を流動させるための送風機７が設けられる。図示実施の形態においては、この送風機７は、養生室２ａの上部と、養生室２ａ内の台車６ａに据え付けられている。
【００２１】
また、外部Ｘには、二次養生ハウス４の床４ｅに繋がる外部床８が敷設されている。この外部床８は、角材からなる根太（図示せず）と、その根太上に敷き詰められる床板８ａ、８ａとからなり、前記床４ｅと高さが同じになるように形成される。そこで、前述のレール６ｂが、外部床８から床４ｅに渡って敷設される。なお、第１および第２覆い部材３ａ、４ａは、入口２ｃ部分で、開閉可能となっており、繊維補強コンクリート製部材１を搬入・搬出する際には、その入口２ｃ部分の覆い部材３ａ、４ａが開閉される。
【００２２】
ところで、この養生設備２は、脱枠前での一次養生が終了した後において、脱枠された繊維補強コンクリート製部材１に対して、二次養生としての熱養生（標準熱養生）を行うためのものである。ここでは、養生室２ａが、例えば、温度９０℃、湿度６０％に保たれ、繊維補強コンクリート製部材１は、その雰囲気中で、４８時間熱養生される。そして、この熱養生により、主に、繊維補強コンクリート製部材１における組織の緻密化が図られる。
【００２３】
次に、以上の構成からなる養生設備２の作用効果について説明する。この養生設備２によると、一次養生ハウス３を構成する第１覆い部材３ａと、二次養生ハウス４を構成する第２覆い部材４ａとの間が、隔離空間２ｂとなって、この隔離空間２ｂにより、外部Ｘと第２覆い部材４ａの内側の養生室２ａとが隔てられる。そして、蒸気噴出装置５ａによる蒸気によって温度が高められた隔離空間２ｂと、養生室２ａに流入する蒸気とにより、養生室２ａの温度が保たれ、その養生室２ａに収容された繊維補強コンクリート製部材１は、熱養生される。ここで、隔離空間２ｂで結露が生じた場合には、その結露による水滴は、第２覆い部材４ａによって遮られ、このため、その結露による水滴が、養生室２ａの繊維補強コンクリート製部材１に滴下するのを避けることができる。しかも、第２覆い部材４ａの外側は、隔離空間２ｂとなって蒸気によって温度が高められているため、第２覆い部材の４ａ内面側での結露が抑えられ、このため、その結露による水滴が、養生室２ａの繊維補強コンクリート製部材１に滴下するのを避けることができる。すなわち、一次養生ハウス３内に二次養生ハウス４を設け、一次養生ハウス３を構成する第１覆い部材３ａと、二次養生ハウス４を構成する第２覆い部材４ａとの間を、蒸気によって温度が高められた隔離空間２ｂとすることで（詳細には、隔離空間２ｂの温度を養生室２ａの温度と同等またはそれ以上とすることで）、養生室２ａの繊維補強コンクリート製部材１に、結露による水滴が滴下するのを避けることができ、この繊維補強コンクリート製部材１に対する色むら（例えば、黒地に白の色むら）の発生を低減することができる。
【００２４】
また、この養生設備２においては、一次養生ハウス３の第１覆い部材３ａと二次養生ハウス４の第２覆い部材４ａとに、シートを用いることで、この養生設備２を、簡易に形成することができる。また、養生室２ａには送風機７が設けられており、この送風機７により、養生室２ａの空気は、攪拌されることから、養生室２ａ内の温度を均一にすることができる。そして、このことから、繊維補強コンクリート製部材１を安定して養生することができる。また、養生設備２は、搬送装置６を備えることから、繊維補強コンクリート製部材１の、養生室２ａへの搬入や養生室２ａからの搬出を容易に行うことができる。
【００２５】
なお、本発明は、上述した実施の形態に限定されるわけではなく、その他種々の変更が可能である。例えば、蒸気供給手段５における連通部５ｂは、床板４ｇ、４ｇの合わせ部分の隙間と、床シート４ｈ、４ｈの合わせ部分の隙間とからなるが、その他に、床板４ｇとか床シート４ｈに孔を穿ち、その孔を連通部としてもよい。また、上部土台４ｄと第２覆い部材４ａの下端との間に間隙等を形成し、この間隙等を連通部としてもよいなど種々の構成が考えられ、実施の形態に示されるような特定の構成に限定されるものではない。
【００２６】
また、養生室２ａに、水を入れた容器を配置するなどして、養生室２ａの湿度を調整するようにしてもよい。
【００２７】
また、養生室２ａには、送風機７が設けられているが、この送風機７は、必要なければ無くともよい。
【００２８】
また、養生設備２は、台車６ａとレール６ｂとからなる搬送装置６を備えているが、他の搬送装置とか搬送方法により、繊維補強コンクリート製部材１を搬入・搬出してもよいのは勿論である。
【図面の簡単な説明】
【００２９】
【図１】この発明の一実施の形態の、養生設備内を示す平面図である。
【図２】同じく、養生設備内を示す側面図である。
【図３】同じく、図２におけるＡ部拡大図である。
【符号の説明】
【００３０】
１  繊維補強コンクリート製部材
２  養生設備
２ａ  養生室
２ｂ  隔離空間
３  一次養生ハウス
３ａ  第１覆い部材
４  二次養生ハウス
４ａ  第２覆い部材
５  蒸気供給手段
５ａ  蒸気噴出装置
５ｂ  連通部
５ｃ  蒸気供給管
６  搬送装置
６ａ  台車
６ｂ  レール
７  送風機
Ｘ  外部
【図１】
2009006596.tif 000003
【図２】
2009006596.tif 000004
【図３】
2009006596.tif 000005